(57)【要約】      （修正有）【課題】汎用部材を使用した極めて簡単な傾斜角度の調整機構を提供し、併せてこの傾斜角度の調整機構を使用する書見台や机を提供する。【解決手段】直線状の一辺を有する台板１１と該台板１１に重置される直線状の一辺を有する回動板２１の該直線状の一辺同士が軸着されて回動板２１を回動自在となし、前記直線状の一辺の両端から延伸する台板１１および回動板２１の左右辺同士が連結板３１により連結されて該連結板３１により回動板２１が台板１１に対し所望の傾斜角度で固定される構成とした。【選択図】図１
0003150010.tif 000002
【実用新案登録請求の範囲】
【請求項１】
直線状の一辺を有する台板と該台板に重置される直線状の一辺を有する回動板の該直線状の一辺同士が軸着されて該回動板を回動自在となし、
前記直線状の一辺の両端から延伸する前記台板および前記回動板の左右辺同士が連結板により連結されて該連結板により該回動板が該台板に対し所望の傾斜角度で固定される、ことを特徴とする折畳み式書見台。
【請求項２】
前記連結板はその一端が前記回動板および前記台板のいずれか一方の左右辺縁に回動自在に軸支されるとともに、該連結板の他端に貫設された貫通孔が該回動板および該台板のいずれか他方の左右辺縁に沿って所定の間隔を以って水平方向に突設された複数の角度調整ピンの内の一つに嵌合することにより、該回動板が該台板に対し所望の傾斜角度で固定される、ことを特徴とする請求項1に記載の折畳み式書見台。
【請求項３】
前記連結板はその一端が前記回動板および前記台板のいずれか一方の左右辺縁に回動自在に軸支されるとともに、該連結板の他端に貫設された貫通孔を介して該回動板および該台板のいずれか他方の左右辺縁に沿って所定の間隔を以って水平方向に穿設された複数の螺入孔の内の一つにボルトが螺入されることにより、該回動板が該台板に対し所望の傾斜角度で固定される、ことを特徴とする請求項1に記載の折畳み式書見台。
【請求項４】
前記台板と前記回動板とは蝶番を介して軸着され、または前記回動板の左右辺縁から突設された嵌合ピンを介して軸着されている、ことを特徴とする請求項1ないし請求項３のいずれかに記載の折畳み式書見台。
【請求項５】
前記台板は少なくとも直線状の一辺および左右辺からなる枠で形成されている、ことを特徴とする請求項1ないし請求項４のいずれかに記載の折畳み式書見台。
【請求項６】
前記回動板の直線状の一辺に沿って軸着側とは反対の位置に突条の書類押えが立設されている、ことを特徴とする請求項1ないし請求項５のいずれかに記載の折畳み式書見台。
【請求項７】
前記回動板には透明板が嵌設または覆設されている、ことを特徴とする請求項1ないし請求項６のいずれかに記載の折畳み式書見台。
【請求項８】
前記回動板は直線状の一辺に平行な上辺を有するとともに、該上辺の前方には左右方向に細長な添え板が該回動板の長さ方向に対して該上辺に平行にスライド自在に添設されている、ことを特徴とする請求項1ないし請求項７のいずれかに記載の折畳み式書見台。
【請求項９】
机の上板を兼ねる直線状の一辺を有する台板または机の上板に重置される直線状の一辺を有する台板と直線状の一辺を有する回動板の該直線状の一辺同士が軸着されて該回動板を回動自在となし、
前記直線状の一辺の両端から延伸する前記回動板の左右辺と前記机または前記机の上板の左右辺同士とが連結板により連結されて該連結板により該回動板が前記台板に対し所望の傾斜角度で固定される、ことを特徴とする傾斜角度調整可能な回動板を具える机。
【請求項１０】
前記連結板はその一端が前記回動板と前記机または前記机の上板のいずれか一方の左右辺縁に回動自在に軸支されるとともに、該連結板の他端に貫設された貫通孔が該回動板と該机または該机の上板のいずれか他方の左右辺縁に沿って所定の間隔を以って水平方向に突設された複数の角度調整ピンの少なくとも一つに嵌合することにより、該回動板が該台板に対し所望の傾斜角度で固定される、ことを特徴とする請求項９に記載の傾斜角度調整可能な回動板を具える机。
【請求項１１】
前記連結板はその一端が前記回動板と前記机または前記机の上板のいずれか一方の左右辺縁に回動自在に軸支されるとともに、該連結板の他端に貫設された貫通孔を介して該回動板と該机または該机の上板のいずれか他方の左右辺縁に沿って所定の間隔を以って穿設された複数の螺入孔の少なくとも一つにボルトが螺入されることにより、該回動板が該台板に対し所望の傾斜角度で固定される、ことを特徴とする請求項９に記載の傾斜角度調整可能な回動板を具える机。
【請求項１２】
前記台板と前記回動板とは蝶番を介して軸着され、または前記回動板の左右辺縁から突設された嵌合ピンを介して軸着されている、ことを特徴とする請求項９ないし請求項１１のいずれかに記載の傾斜角度調整可能な回動板を具える机。
【請求項１３】
前記回動板の直線状の一辺に沿って軸着側とは反対の位置に突条の書類押えが立設されている、ことを特徴とする請求項９ないし請求項１２のいずれかに記載の傾斜角度調整可能な回動板を具える机。
【請求項１４】
前記回動板には透明板が嵌設または覆設されている、ことを特徴とする請求項９ないし請求項１３のいずれかに記載の傾斜角度調整可能な回動板を具える机。
【考案の詳細な説明】
【技術分野】
【０００１】
本考案は書見台または机に関し、特に、傾斜角度調整可能な回動板を具える折畳み式書見台または傾斜角度調整可能な回動板を具える机に関する。
【背景技術】
【０００２】
折畳み式書見台は、特許文献１や特許文献２に開示のような帳票や書類を載せる台の傾斜角度が調整可能で折畳み式のものが提案されている。特許文献１に開示の書見台は「滑り止めミゾと手前が高くなっている平面台と止め板を、止め板と書見板を、書見板とそれを支える支え板をそれぞれ蝶番でつないだ」構成としている。また、特許文献２に開示の書見台は「調節可能な書見台に転換可能なフォルダーであり、倒立するカバーと、前記カバー及び箱の底面との間に連結される支柱とを有する角柱状箱を含む関節式組立て品から構成され、カバーに底面に対して望ましい傾きを与えるためカバー及び底面の少なくとも一つに隆起部が設けられ、前記カバーは書類を支持しカバーの端部において支持部で書類を保持する」構成としている。
【０００３】
また、天板の傾斜角度が調整可能な机が、特許文献３や特許文献４に開示されている。特許文献３に開示の机は「ユーザーに面した机の長いサイドのまわりで机のワークテーブルを回転させることにより、同ワークテーブルを傾斜させることができることである。かかる長いサイドの両端のピンが回転軸であり、ワークテーブルの反対側の長いサイドに丁番により取付けられ、鋸歯スロットを備えたサイドロッドが、机の脚に固定された爪とかかる鋸歯スロットとの係合により、ワークテーブルを所定の傾斜で止めることを可能にする」構成としている。また、特許文献４に開示の机は「既設の机を改良して傾斜板を設け傾斜角度を調整できるように傾斜板の裏面に低角度には低角度用支柱と低角度用に切り目を付けた低角度用ストッパを、急な傾斜には急角度用支柱と急角度用に切り目を付けた急角度用ストッパを設け、傾斜板が水平に止まるように傾斜板止めを設け、また書類が滑らないように傾斜台の角度を上げると傾斜板の手前の部分が机面より下がるようにした書類止めを設ける」構成としている。
【先行技術文献】
【特許文献】
【０００４】
【特許文献１】特開平１１−１６９２３６号公報
【特許文献２】特表２００１−５２５２３７号公報
【特許文献３】特表２００１−５２７４３４号公報
【特許文献４】特開２００３−３２５２３５号公報
【考案の概要】
【考案が解決しようとする課題】
【０００５】
しかしながら、特許文献１ないし特許文献４に開示の書見台や机は、当然のことながら、傾斜角度の調整機構に専用かつ独自の部材を使用していて、ある程度量産することを前提としている。すなわち、大量生産によりその経済効果が生じ、少量生産に向いたものではない。
【０００６】
そこで、本考案は、汎用部材を使用した極めて簡単な傾斜角度の調整機構を提供し、併せてこの傾斜角度の調整機構を使用する書見台や机を提供することを課題とする。
【課題を解決するための手段】
【０００７】
上記課題を解決するために、本願請求項１に係る折畳み式書見台は、直線状の一辺を有する台板と該台板に重置される直線状の一辺を有する回動板の該直線状の一辺同士が軸着されて該回動板を回動自在となし、前記直線状の一辺の両端から延伸する前記台板および前記回動板の左右辺同士が連結板により連結されて該連結板により該回動板が該台板に対し所望の傾斜角度で固定される、ことを特徴としている。なお、台板および回動板の平面形状は直線状の一辺を有すれば良いが、好ましくは矩形であり、枠体で形成されても良い。また、左右とは、直線状の一辺を手前にしたときの方向をいう。
また、本願請求項２に係る折畳み式書見台は、請求項1に記載の折畳み式書見台であって、前記連結板はその一端が前記回動板および前記台板のいずれか一方の左右辺縁に回動自在に軸支されるとともに、該連結板の他端に貫設された貫通孔が該回動板および該台板のいずれか他方の左右辺縁に沿って所定の間隔を以って水平方向に突設された複数の角度調整ピンの内の一つに嵌合することにより、該回動板が該台板に対し所望の傾斜角度で固定される、ことを特徴としている。
そして、本願請求項３に係る折畳み式書見台は、請求項1に記載の折畳み式書見台であって、前記連結板はその一端が前記回動板および前記台板のいずれか一方の左右辺縁に回動自在に軸支されるとともに、該連結板の他端に貫設された貫通孔を介して該回動板および該台板のいずれか他方の左右辺縁に沿って所定の間隔を以って水平方向に穿設された複数の螺入孔の内の一つにボルトが螺入されることにより、該回動板が該台板に対し所望の傾斜角度で固定される、ことを特徴としている。
さらに、本願請求項４に係る折畳み式書見台は、請求項1ないし請求項３のいずれかに記載の折畳み式書見台であって、前記台板と前記回動板とは蝶番を介して軸着され、または前記回動板の左右辺縁から突設された嵌合ピンを介して軸着されている、ことを特徴としている。
そして、本願請求項５に係る折畳み式書見台は、請求項1ないし請求項４のいずれかに記載の折畳み式書見台であって、前記台板は少なくとも直線状の一辺および左右辺からなる枠で形成されている、ことを特徴としている。
また、本願請求項６に係る折畳み式書見台は、請求項1ないし請求項５のいずれかに記載の折畳み式書見台であって、前記回動板の直線状の一辺に沿って軸着側とは反対の位置に突条の書類押えが立設されている、ことを特徴としている。
さらに、本願請求項７に係る折畳み式書見台は、請求項1ないし請求項６のいずれかに記載の折畳み式書見台であって、前記回動板には透明板が嵌設または覆設されている、ことを特徴としている。
そして、本願請求項８に係る折畳み式書見台は、請求項1ないし請求項７のいずれかに記載の折畳み式書見台であって、前記回動板は直線状の一辺に平行な上辺を有するとともに、該上辺の前方には左右方向に細長な添え板が該回動板の長さ方向に対して該上辺に平行に添設されている、ことを特徴としている。なお、上辺とは、直線状の一辺に相対する辺をいう。
【０００８】
本願請求項９に係る傾斜角度調整可能な回動板を具える机は、机の上板を兼ねる直線状の一辺を有する台板または机の上板に重置される直線状の一辺を有する台板と直線状の一辺を有する回動板の該直線状の一辺同士が軸着されて該回動板を回動自在となし、前記直線状の一辺の両端から延伸する前記回動板の左右辺と前記机または前記机の上板の左右辺同士が連結板により連結されて該連結板により該回動板が前記台板に対し所望の傾斜角度で固定される、ことを特徴としている。
また、本願請求項１０に係る傾斜角度調整可能な回動板を具える机は、請求項９に記載の傾斜角度調整可能な回動板を具える机であって、前記連結板はその一端が前記回動板と前記机または前記机の上板のいずれか一方の左右辺縁に回動自在に軸支されるとともに、該連結板の他端に貫設された貫通孔が該回動板と該机または該机の上板のいずれか他方の左右辺縁に沿って所定の間隔を以って水平方向に突設された複数の角度調整ピンの少なくとも一つに嵌合することにより、該回動板が該台板に対し所望の傾斜角度で固定される、ことを特徴としている。
そして、本願請求項１１に係る傾斜角度調整可能な回動板を具える机は、請求項９に記載の傾斜角度調整可能な回動板を具える机であって、前記連結板はその一端が前記回動板と前記机または前記机の上板のいずれか一方の左右辺縁に回動自在に軸支されるとともに、該連結板の他端に貫設された貫通孔を介して該回動板と該机または該机の上板のいずれか他方の左右辺縁に沿って所定の間隔を以って穿設された複数の螺入孔の少なくとも一つにボルトが螺入されることにより、該回動板が該台板に対し所望の傾斜角度で固定される、ことを特徴としている。
さらに、本願請求項１２に係る傾斜角度調整可能な回動板を具える机は、請求項９ないし請求項１１のいずれかに記載の傾斜角度調整可能な回動板を具える机であって、前記台板と前記回動板とは蝶番を介して軸着され、または前記回動板の左右辺縁から突設された嵌合ピンを介して軸着されている、ことを特徴としている。
また、本願請求項１３に係る傾斜角度調整可能な回動板を具える机は、請求項９ないし請求項１２のいずれかに記載の傾斜角度調整可能な回動板を具える机であって、前記回動板の直線状の一辺に沿って軸着側とは反対の位置に突条の書類押えが立設されている、ことを特徴としている。
そして、本願請求項１４に係る傾斜角度調整可能な回動板を具える机は、請求項９ないし請求項１３のいずれかに記載の傾斜角度調整可能な回動板を具える机であって、前記回動板には透明板が嵌設または覆設されている、ことを特徴としている。
【考案の効果】
【０００９】
本考案に係る折畳み式書見台は上記の構成により、以下の効果を奏する。
（１）不使用時には重置される台板と回動板とが回動自在に軸着されて、台板と回動板の左右辺の中間部同士を連結する連結板により所望の傾斜角度で固定されるため、折畳んだ状態での持ち運びは容易であるとともに、傾斜角度の調整機構も極めて簡単である。
（２）連結板の一端は回動板または台板のいずれか一方の左右辺に回動自在に軸支され、他端は回動板または台板のいずれか他方の左右辺から突設された複数の角度調整ピンあるいは左右辺に穿設された複数の螺入孔の一つに嵌合あるいは螺合することで回動板が台板に対し所望の傾斜角度で固定されるようになっている。このため、連結板はその両端に孔が貫設されていれば良いから、簡単にホームセンター等で入手でき、また、角度調整ピンおよび螺入孔に埋設する雌螺子もホームセンター等で入手できる。
（３）台板を枠で形成することにより、全体の重量が軽くなるので、持ち運びがさらに容易になる。また、回動板を枠で形成し、その枠内を透明板とすることにより、たとえば、写真を入れて楽しむことができ、あるいは、回動板に原図を置いてその上から更紙を重ね、裏面から光を当てることにより、原図のトレースが容易にできる。
（４）回動板に対して添え板が添設されることにより、この添え板に取り付けた照明具により、書見台に載せた書類等を最上の状態で見ることができる。
また、本考案に係る傾斜角度調整可能な回動板を具える机についても、上記と同様の効果を得ることができる。
【図面の簡単な説明】
【００１０】
【図１】図１は、実施例１に係る折畳み式書見台の側面図である。
【図２】図２は、実施例１に係る折畳み式書見台の正面図である。
【図３】図３は、実施例２に係る折畳み式書見台の側面図である。
【図４】図４は、実施例３に係る傾斜角度調整可能な回動板を具える机の側面図である。
【考案を実施するための形態】
【００１１】
図１ないし図４において、符号１は実施例１に係る折畳み式書見台、符号２は実施例２に係る折畳み式書見台、符号３は実施例２に係る傾斜角度調整可能な回動板を具える机（以下、「回動板を具える机３」という。）、符号１１は台板、符号１３は角度調整ピン、符号１４は角度調整用螺入孔、符号１５は蝶番、符号１６は嵌合ピン、符号１７は嵌合金具、符号１８は嵌合孔、符号１９は嵌合金具締付ボルト、符号２１は回動板、符号２３は書類押え、符号２５は添え板、符号２７は固定ピン、符号２９は透明板、符号３１は連結板、符号３３は連結板締付ボルト、符号３５は連結板軸支金具、符号４１は添え板取付け板、符号４３は添え板固定孔、符号４５は添え板用締付ボルト、符号５１は机本体、符号５３は上板、である。
【実施例１】
【００１２】
まず、実施例１について、図１および図２を基に説明する。
折畳み式書見台１は主に、矩形の台板１１と回動板２１とから構成されていて、台板１１と回動板２１とは一対の蝶番１５で軸着されて互いに回動自在となっている。
【００１３】
矩形の台板１１は蝶番１５で軸着された側を底辺とし、その反対側の辺を上辺とし、そして、左右の辺を左辺および右辺としたときに、左右辺の中間部には複数の角度調整ピン１３が略等間隔に水平方向に突設されている。なお、実施例における台板１１は底辺、左右辺および上辺からなる枠体となっている。
【００１４】
矩形の回動板２１は蝶番１５で軸着された側を底辺とし、その反対側の辺を上辺とし、そして、左右の辺を左辺および右辺としたときに、底辺に沿って角棒状の書類押え２３が立設され、左右辺の中間部には連結板締付ボルト３３が螺入される螺入孔が水平方向に穿設されている。さらに、左右辺の上辺側には上辺側から順にいずれも水平方向に、固定ピン２７が突設され、添え板用締付ボルト４５が螺入される螺入孔が穿設されている。
また、実施例における回動板２１には透明板２９が着脱自在に嵌設され、その裏側にも透明板が嵌設されていて、二重構造となっている。従って、二重構造の透明板の間に写真等を挟み込むことができる。
【００１５】
連結板３１は鋼製の平板であって、その両端部には連結板締付ボルト３３および角度調整ピン１３が貫通する貫通孔が貫設されていて、一端が連結板締付ボルト３３を介して、回動板２１に回動自在に軸支され、他端の貫通孔に所定の角度調整ピン１３が貫通することにより、台板１１に対する回動板２１の角度が自由に変えられるようになっている。
【００１６】
回動板２１の上辺の前方に位置する添え板２５は、左右方向に細長な平板であり、その左右辺には回動板２１側から順にいずれも水平方向に、固定ピン２７が突設され、複数の添え板用締付ボルト４５が螺入されるスライド用螺入孔（図示外）が穿設されている。
【００１７】
添え板取付け板４１は鋼製の平板であって、その両端部にはスライド用締付ボルト４５が貫通する貫通孔が貫設され、さらにその内側には固定ピン２７が貫通する細長の添え板固定孔４３が貫設されている。そして、添え板用締付けボルト４５が回動板２１および添え板２５に穿設された螺入孔（図示外）に螺入し、さらに、固定ピン２７が添え板固定孔４３に嵌入することにより、添え板取付け板４１は回動板２１に連設される。
【００１８】
ここで、折畳み式書見台１の使用例について説明する。
不使用時には、折畳み式書見台１は連結板３１を角度調整ピン１３から外すことにより、回動板２１は台板１１上に重置されている。複数の角度調整ピン１３から適当な一つを選んで連結板３１を嵌入することにより、回動板２１は台板１１に対して所望の傾斜角度で固定される。そして、添え板２５に照明スタンドを取り付ける。
このような状態にして、書物等を回動板２１に載せると、書物等は書類押え２３により所定の位置で固定される。なお、書類押え２３の断面を、その先端を上方に向けて曲折したＬ字形としても良い。また、回動板２１に原図を置いてその上から更紙を重ね、回動板２１の裏面から光を当てることにより、原図に描かれた図形等は更紙上に映し出されて、トレースが容易になる。
【実施例２】
【００１９】
つぎに、実施例２について、図３を基に説明する。
折畳み式書見台２は主に、折畳み式書見台１と同様に矩形の台板１１と回動板２１とから構成されている。そして、台板１１と回動板２１とは、回動板２１の左右辺から突設された嵌合ピン１６と台板１１の左右辺に嵌合金具締付ボルト１９を介して固着された嵌合金具１７が軸着されて、互いに回動自在となっている。なお、この嵌合金具１７には細長い嵌合孔１８が貫設され、その一端は上部に開放されていて、嵌合ピン１６は嵌合孔１８に着脱自在になっている。
【００２０】
矩形の台板１１の左右辺の中間部には、連結板締付ボルト３３が螺入される複数の角度調整用螺入孔１４が略等間隔に水平方向に穿設されている。
【００２１】
矩形の回動板２１には、その底辺に沿って角棒状の書類押え２３が立設され、左右辺の中間部には連結板締付ボルト３３が螺入される螺入孔が水平方向に穿設されていることは、折畳み式書見台１と同様である。また、折畳み式書見台１と同様に添え板２５を取り付けても良いし、回動板２１に透明板２９を着脱自在に嵌設するようにしても良い。
【００２２】
連結板３１は鋼製の平板であって、その両端部には連結板締付ボルト３３が貫通する貫通孔が貫設されていて、一端が連結板締付ボルト３３を介して、回動板２１に回動自在に軸支され、他端の貫通孔と台板１１の左右辺の中間部に穿設されている所定の角度調整用螺入孔１４とを連結板締付ボルト３３を介して螺合させることにより、台板１１に対する回動板２１の角度が自由に変えられるようになっている。なお、図４では、実施例
【００２３】
折畳み式書見台２の使用例は、折畳み式書見台１の使用例と略同様であるが、不使用時は、連結板３１と角度調整用螺入孔１４の螺合を解き、嵌合金具１７の嵌合孔１８から回動板２１を外し、台板１１と回動板２１を重置することで、折畳み式書見台２は収納し易くなる。
【実施例３】
【００２４】
つぎに、実施例３について、図４を基に説明する。
回動板を具える机３は主に、上板５３を有する机本体５１と机本体５１に重置固定される矩形の台板１１と矩形の回動板２１とから構成されていて、回動板２１は台板１１に一対の蝶番１５で軸着されて回動自在となっている。なお、台板１１自体および回動板２１自体を上板５３そのものとしても良い。
【００２５】
回動板２１の左右辺の中間部には連結板軸支金具３５が固着されていて、この連結板軸支金具３５を介して連結板３１が回動板２１に軸着されている。なお、実施例１および実施例２と同様に、回動板２１に書類押え２３を立設しても良く、あるいは、添え板２５を添設しても良い。さらに、回動板２１に透明板２９を着脱自在に嵌設しても良いことは勿論である。
【００２６】
上板５３の左右辺には複数の角度調整ピン１３が略等間隔に水平方向に突設されている。なお、実施例２と同様に角度調整ピン１３に代えて角度調整用螺入孔１４としても良いことは勿論である。
【００２７】
連結板３１の構成は実施例１または実施例２と同様であるので、その説明を省略する。なお、実施例１では、連結板３１の他端の貫通孔に所定の角度調整ピン１３の内の一つが貫通することにより、回動板２１の荷重を支えるようになっているが、実施例３においては、隣接する複数の角度調整ピン１３で回動板２１の荷重を支えるようにしても良い。
【００２８】
つぎに、回動板を具える机３の使用例について説明する。
不使用時には、回動板を具える机３は連結板３１を角度調整ピン１３から外すことにより、回動板２１は上板５３上に重置されている。複数の角度調整ピン１３から適当な一つを選んで連結板３１を嵌入することにより、回動板２１は台板１１に対して所望の傾斜角度で固定される。
【符号の説明】
【００２９】
１    実施例１に係る折畳み式書見台
２    実施例２に係る折畳み式書見台
３    実施例２に係る傾斜角度調整可能な回動板を具える机
１１    台板
１３    角度調整ピン
１４    角度調整用螺入孔
１５    蝶番
１６    嵌合ピン
２１    回動板
２３    書類押え
２５    添え板
２９    透明板
３１    連結板
３３    連結板締付ボルト
５３    上板
【図１】
0003150010.tif 000003
【図２】
0003150010.tif 000004
【図３】
0003150010.tif 000005
【図４】
0003150010.tif 000006